(57)【要約】【課題】  複数の番組についての予約録画を適切に行うことができる。【解決手段】図５の例では、図５Ａに示す予定で各番組が放送される所定のチャンネルの番組Ｂ１および番組Ｂ２を録画予約したが、実際には、図５Ｂに示すように、番組Ｂ１の前の番組Ａが延長したため、番組Ｂ１の放送開始時刻が時刻ｔ1から時刻ｔ1''に変更し、番組Ｂ２の放送開始時刻が時刻ｔ2から時刻ｔ2''に変更したものとする。EIT[F]に設定されている番組Ｂ１の放送開始時刻等から録画開始時刻が時刻ｔ1''等に変更されて、番組Ｂ１の録画が開始される。番組Ｂ１の録画が開始されると、EIT［F］がさらに参照され、番組Ｂ２のＩＤが設定されているEIT[F]から番組Ｂ２の放送開始時刻（変更された放送開始時刻）等に基づいて、番組Ｂ２の録画開始時刻が時刻ｔ2''等に変更される。その結果、番組Ｂ２の録画も適切に行うことができる。【選択図】  図５
2006060367.tif 000002
【特許請求の範囲】
【請求項１】
デジタルテレビジョン放送番組の放送予定に応じた条件に従って開始される、前記デジタルテレビジョン放送番組に対する所定の処理を事前に予約する予約手段と、
前記予約手段により予約された前記処理を、前記条件に従って、前記デジタルテレビジョン放送番組に対して開始する処理手段と、
前記デジタルテレビジョン放送番組の放送予定を取得する取得手段と
を備える情報処理装置において、
前記予約手段は、
予約した前記デジタルテレビジョン放送番組に対する前記処理が、前記処理手段により開始されたとき、前記取得手段により取得された、前記デジタルテレビジョン放送番組の次に放送される、予約した他の前記デジタルテレビジョン放送番組の放送予定を入手し、
予約した前記他のデジタルテレビジョン放送番組に対する処理の前記条件を、入手した前記放送予定に応じて変更する
ことを特徴とする情報処理装置。
【請求項２】
デジタルテレビジョン放送番組の放送予定に応じた条件に従って開始される、前記デジタルテレビジョン放送番組に対する所定の処理を事前に予約する予約ステップと、
前記予約ステップの処理で予約された前記処理を、前記条件に従って、前記デジタルテレビジョン放送番組に対して開始する処理ステップと、
前記デジタルテレビジョン放送番組の放送予定を取得する取得ステップと
を含む情報処理方法において、
前記予約ステップは、
予約した前記デジタルテレビジョン放送番組に対する前記処理が、前記処理ステップにより開始されたとき、前記取得ステップにより取得された、前記デジタルテレビジョン放送番組の次に放送される、予約した他の前記デジタルテレビジョン放送番組の放送予定を入手し、
予約した前記他のデジタルテレビジョン放送番組に対する処理の前記条件を、入手した前記放送予定に応じて変更する
ことを特徴とする情報処理方法。
【請求項３】
デジタルテレビジョン放送番組の放送予定に応じた条件に従って開始される、前記デジタルテレビジョン放送番組に対する所定の処理を事前に予約する予約ステップと、
前記予約ステップの処理で予約された前記処理を、前記条件に従って、前記デジタルテレビジョン放送番組に対して開始する処理ステップと、
前記デジタルテレビジョン放送番組の放送予定を取得する取得ステップと
を含む情報処理をコンピュータに実行させるプログラムであって、
前記予約ステップは、
予約した前記デジタルテレビジョン放送番組に対する前記処理が、前記処理ステップにより開始されたとき、前記取得ステップにより取得された、前記デジタルテレビジョン放送番組の次に放送される、予約した他の前記デジタルテレビジョン放送番組の放送予定を入手し、
予約した前記他のデジタルテレビジョン放送番組に対する処理の前記条件を、入手した前記放送予定に応じて変更する
ことを特徴とするプログラム。
【発明の詳細な説明】
【技術分野】
【０００１】
本発明は、情報処理装置および方法、並びにプログラムに関し、例えば複数の番組についての予約録画を適切に行うことができるようにした情報処理装置および方法、並びにプログラムに関するものである。
【背景技術】
【０００２】
テレビジョン番組をハードディスク、または光ディスク等の記録媒体に記録させる録画再生装置が開発され、ユーザは、このような録画再生装置で、テレビジョン番組の録画を予め設定しておくことで（録画予約しておくことで）、例えば放送時間帯に外出している場合であっても、そのテレビジョン番組の放送終了後にそれを視聴することができる。
【０００３】
ところで、録画予約している番組の前の番組（例えば、サッカーや野球のようなスポーツの内容を中継する番組）が延長され、予約番組の放送開始時刻が遅れて開始される場合がある。
【０００４】
この場合、録画再生装置は、予約番組の録画開始時刻に、そのチャンネルが実際に放送するテレビジョン番組（この時点では、予約番組の前の番組）を記録媒体に記録する処理を開始し、予約番組の放送がまた終了していない時刻（録画終了時刻）に、録画処理を終了する。その結果、予約した番組が適切に録画されない場合がある。
【０００５】
そこでデジタルテレビジョン放送番組においては、図１を参照して説明する予約方法が提案されている（特許文献１）。
【０００６】
図１の例では、図１Ａに示す予定で各番組が放送される所定のチャンネルの番組Ｂ１を録画予約したが、実際には、図１Ｂに示すように、番組Ｂ１の前の番組Ａが延長されたため、番組Ｂ１の放送開始時刻が時刻ｔS1から時刻ｔS1''に変更されたものとする。
【０００７】
録画再生装置は、予約時に、録画予約された番組Ｂ１の識別情報(ＩＤ)（EventID）、およびその放送開始時刻と番組長に対応する録画開始時刻と終了時刻等を記憶している。
【０００８】
録画再生装置は、番組Ｂ１の録画開始時刻ｔS1の一定時間前の時刻ｔ0から番組Ｂ１のチャンネルを選局し、放送信号からのEIT［P］およびEIT［F］の取得、およびその中に、番組Ｂ１のＩＤが含まれているか否かの検索を開始する。
【０００９】
EIT(Event Information Table)は、番組の映像音声のトランスポートストリームに付随して伝送されてくるサービス情報（Service  Information）に含まれているものであり、例えば現在放送されている番組の番組名や内容、放送開始時刻、および番組長等（以下、個々に区別する必要がない場合、番組情報と称する）が記述されているEIT［P］と、その次に放送される番組の番組情報が記述されているEIT［F］がある。
【００１０】
図１Ｂの例の場合、予定では番組Ｂ１が放送されている時刻ｔS1でも、番組Ａが放送されているので、EIT［P］には番組ＡのＩＤが含まれており、番組Ｂ１のIDは含まれていない。またEIT［F］は、番組Ａの延長が確定した時点で一度未定にされ、所定のタイミングで（放送開始時刻（ｔS1）から一定時間経過した後に）変更（確定）される。
【００１１】
すなわち図１Ｂの例では、時刻ｔS1において、EIT［P］およびEIT［F］には、番組ＢのＩＤが設定されていないので、録画再生装置は、この時点は録画を開始しない。そしてEIT［F］に、番組Ｂ１のＩＤが設定されたとき、そのEIT［F］に設定されている番組Ｂ１の放送開始時刻ｔS1''に基づいて、予約録画開始時刻を時刻ｔS1から時刻ｔS1''に変更する。そして時刻ｔS1''の一定時間前の時刻ｔS1'から、EIT［P］とEIT［F］の取得、およびそこに番組Ｂ１のＩＤが設定されているか否かの検索を開始する。
【００１２】
この例の場合、時刻ｔS1''には、番組Ｂ１のＩＤが設定されているEIT［P］が取得されるので、録画再生装置は、時刻ｔS1''から番組Ｂ１の記録を開始する。その結果、図１Ｃに示すように番組Ｂ１が、録画再生装置の記録媒体に記録される。
【００１３】
【特許文献１】特開2004-032128号公報
【発明の開示】
【発明が解決しようとする課題】
【００１４】
予約録画する番組が１個の場合、図１に示したように録画されるが、２個以上の番組を予約録画する場合、以下のような問題が生じ得る。
【００１５】
例えば、図１の例において、番組Ｂ１と番組Ｂ２を録画予約する場合、上述したように番組Ｂ１の録画が開始されると、その間（時刻ｔS1''乃至時刻ｔE1''）は、EITの取得および番組Ｂ２のＩＤが設定されているか否かの検索は行われない。その結果、番組Ｂ１の録画が終了した時点（時刻ｔE1''）では、予約時に設定された番組Ｂ２の録画終了時刻ｔE2が経過しているので、番組Ｂ２は終了したものとして、番組Ｂ２の録画予約はキャンセルされ、番組Ｂ２の録画は行われない。
【００１６】
本発明ではこのような状況に鑑みてなされたものであり、デジタルテレビジョン放送において、複数の番組を適切に予約録画することができるようにするものである。
【課題を解決するための手段】
【００１７】
本発明の、デジタルテレビジョン放送番組の放送予定に応じた条件に従って開始される、デジタルテレビジョン放送番組に対する所定の処理を事前に予約する予約手段と、予約手段により予約された処理を、条件に従って、デジタルテレビジョン放送番組に対して開始する処理手段と、デジタルテレビジョン放送番組の放送予定を取得する取得手段とを備える情報処理装置は、予約手段は、予約したデジタルテレビジョン放送番組に対する処理が、処理手段により開始されたとき、取得手段により取得された、デジタルテレビジョン放送番組の次に放送される、予約した他のデジタルテレビジョン放送番組の放送予定を入手し、予約した他のデジタルテレビジョン放送番組に対する処理の条件を、入手した放送予定に応じて変更することを特徴とする。
【００１８】
本発明の、デジタルテレビジョン放送番組の放送予定に応じた条件に従って開始される、デジタルテレビジョン放送番組に対する所定の処理を事前に予約する予約ステップと、予約ステップの処理で予約された処理を、条件に従って、デジタルテレビジョン放送番組に対して開始する処理ステップと、デジタルテレビジョン放送番組の放送予定を取得する取得ステップとを含む情報処理方法は、予約ステップは、予約したデジタルテレビジョン放送番組に対する処理が、処理ステップにより開始されたとき、取得ステップにより取得された、デジタルテレビジョン放送番組の次に放送される、予約した他のデジタルテレビジョン放送番組の放送予定を入手し、予約した他のデジタルテレビジョン放送番組に対する処理の条件を、入手した放送予定に応じて変更することを特徴とする。
【００１９】
本発明の、デジタルテレビジョン放送番組の放送予定に応じた条件に従って開始される、デジタルテレビジョン放送番組に対する所定の処理を事前に予約する予約ステップと、予約ステップの処理で予約された処理を、条件に従って、デジタルテレビジョン放送番組に対して開始する処理ステップと、デジタルテレビジョン放送番組の放送予定を取得する取得ステップとを含む情報処理をコンピュータに実行させるプログラムは、予約ステップは、予約したデジタルテレビジョン放送番組に対する処理が、処理ステップにより開始されたとき、取得ステップにより取得された、デジタルテレビジョン放送番組の次に放送される、予約した他のデジタルテレビジョン放送番組の放送予定を入手し、予約した他のデジタルテレビジョン放送番組に対する処理の条件を、入手した放送予定に応じて変更することを特徴とする。
【００２０】
本発明の情報処理装置および方法、並びにプログラムにおいては、デジタルテレビジョン放送番組の放送予定に応じた条件に従って開始される、デジタルテレビジョン放送番組に対する所定の処理が事前に予約され、予約された処理が、条件に従って、デジタルテレビジョン放送番組に対して開始され、デジタルテレビジョン放送番組の放送予定が取得され、予約したデジタルテレビジョン放送番組に対する処理が開始されたとき、取得された、デジタルテレビジョン放送番組の次に放送される、予約した他のデジタルテレビジョン放送番組の放送予定が入手され、予約した他のデジタルテレビジョン放送番組に対する処理の条件が、入手した放送予定に応じて変更される。
【発明の効果】
【００２１】
本発明によれば、デジタルテレビジョン放送において、複数の番組を適切に予約録画することができることができる。
【発明を実施するための最良の形態】
【００２２】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２３】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００２４】
本発明の、デジタルテレビジョン放送番組の放送予定に応じた条件に従って開始される、デジタルテレビジョン放送番組に対する所定の処理を事前に予約する予約手段（例えば、図３の予約部５２）と、予約手段により予約された処理を、条件に従って、デジタルテレビジョン放送番組に対して開始する処理手段（例えば、図３の予約処理部５３）と、デジタルテレビジョン放送番組の放送予定を取得する取得手段（例えば、EIT取得部５１）とを備える情報処理装置は、予約手段は、予約したデジタルテレビジョン放送番組に対する処理が、処理手段により開始されたとき、取得手段により取得された、デジタルテレビジョン放送番組の次に放送される、予約した他のデジタルテレビジョン放送番組の放送予定を入手し、予約した他のデジタルテレビジョン放送番組に対する処理の条件を、入手した放送予定に応じて変更することを特徴とする。
【００２５】
本発明の、デジタルテレビジョン放送番組の放送予定に応じた条件に従って開始される、デジタルテレビジョン放送番組に対する所定の処理を事前に予約する予約ステップ（例えば、図４のステップＳ１）と、予約ステップの処理で予約された処理を、条件に従って、デジタルテレビジョン放送番組に対して開始する処理ステップ（例えば、図４のステップＳ１０）と、デジタルテレビジョン放送番組の放送予定を取得する取得ステップ（例えば、図４のステップＳ３，Ｓ６，Ｓ１１）とを含む情報処理方法は、予約ステップは、予約したデジタルテレビジョン放送番組に対する処理が、処理ステップにより開始されたとき（例えば、図４のステップＳ１０）、取得ステップにより取得された、デジタルテレビジョン放送番組の次に放送される、予約した他のデジタルテレビジョン放送番組の放送予定を入手し（例えば、図４のステップＳ１２）、予約した他のデジタルテレビジョン放送番組に対する処理の条件を、入手した放送予定に応じて変更する（例えば、図４のステップＳ１５）ことを特徴とする。
【００２６】
図２は、本発明を適用した録画再生装置１の構成例を表している。
【００２７】
CPU（Central Processing Unit）１１は、ROM（Read Only Memory）１２に記録されているプログラム、または記憶部２１からRAM（Random Access Memory）１３にロードされたプログラムに従って各種の処理を実行する。RAM１３にはまた、CPU１１が各種の処理を実行する上において必要なデータなども適宜記憶される。
【００２８】
CPU１１、ROM１２、RAM１３、および、日時を計時するタイマ１４は、バス１５を介して相互に接続されている。このバス１５にはまた、入出力インタフェース１６も接続されている。
【００２９】
入出力インタフェース１６には、デマルチプレクサ２０、MPEG(Moving Picture Experts Group)デコード部２２、および、ハードディスクなどより構成される記憶部２１が接続されている。
【００３０】
チューナ部１８は、複数のチャンネルの中から、ユーザにより指定されたチャンネル（そのチャンネルに対応するテレビジョン放送局）から送信されてくるデジタルテレビジョン放送番組を、アンテナ１７を介して受信し、デスクランブラ１９に供給する。
【００３１】
デスクランブラ１９は、チューナ部１８から供給されたトランスポートストリームに施されているスクランブルを、必要に応じて解いてデマルチプレクサ２０に供給する。
【００３２】
デマルチプレクサ２０は、デスクランブラ１９から供給されたトランスポートストリームの中から、所望の番組の映像パケットと音声パケットを分離し、入出力インタフェース１６を介して、MPEGデコード部２２に供給する。
【００３３】
MPEGデコード部２２は、供給されたパケットをMPEG方式によりデコードし、アナログ信号（映像信号と音声信号）に変換する。MPEGデコード部２２は、生成された映像信号をOSD処理部２３に供給するとともに、音声信号を音声出力部２４に供給する。MPEGデコード部２２は、供給されたパケットからサービス情報（ＳＩ）を取得して、CPU１１に供給する。
【００３４】
OSD処理部２３は、供給されたアナログの映像信号に必要な情報を重畳し、表示部２５に供給する。表示部２５は、供給された映像信号を映像として表示し、音声出力部２４は、その映像に対応する音声信号（MPEGデコード部２２より供給された音声信号）を音声として出力する。
【００３５】
入出力インタフェース１６にはまた、ユーザからの指令を入力する入力部２６、および、インターネットを含むネットワークを介しての通信処理を行うための通信部２７が設けられている。
【００３６】
入出力インタフェース１６にはまた、必要に応じてドライブ２８が接続され、磁気ディスク、光ディスク、光磁気ディスク、或いは半導体メモリなどよりなるリムーバブル記録媒体２９が適宜装着され、それらから読み出されたコンピュータプログラムが、必要に応じて記憶部２１にインストールされる。
【００３７】
なお、録画再生装置１は、いわゆるハードディスク記録装置に限定されず、後述する処理を実行可能な装置であればよい。例えば、本発明は、DVDレコーダ、ビデオカセットテープレコーダ等にも適用可能である。
【００３８】
図３は、録画再生装置１の本発明に係る部分の機能的構成例を示している。
【００３９】
EIT取得部５１（CPU１１乃至RAM１３により実現される）には、テレビジョン放送番組の映像音声トランスポートストリームに付随して伝送されてくるサービス情報が、MPEGデコード部２２から供給される。EIT取得部５１は、供給されたサービス情報からEITを取得して、予約部５２に供給する。
【００４０】
予約部５２（CPU１１乃至タイマ１４により実現される）は、入力部２６から供給された、ユーザが録画予約を行った番組の、チャンネル、録画開始時刻および終了時刻を記憶して、その番組の録画を予約する。
【００４１】
予約部５２は、EIT取得部５１から供給されるEITに設定される放送開始時刻および番組長に基づいて、録画開始時刻および終了時刻を適宜変更するとともに、録画開始時刻または終了時刻になったとき、その旨を予約処理部５３に通知する。
【００４２】
予約処理部５３は、予約部５２から通知された録画開始時刻および終了時刻に基づいて予約番組の記憶部２１への録画を行う。
【００４３】
次に、図４のフローチャートを参照して、録画予約処理について説明するが、はじめにその概略を説明し、その後図５に示す例に基づいて具体的に説明する。
【００４４】
ステップＳ１において、予約部５２は、ユーザにより指定された番組（予約番組）を予約する。この例の場合、複数の放送番組が予約される。例えば、ユーザが、入力部２６を操作して、録画を予約する番組を指定すると、予約部５２は、入力部２６からのその番組が放送されるチャンネル、放送開始時刻と終了時刻、および放送開始時刻と終了時刻に対応する録画開始時刻と終了時刻を記憶する。
【００４５】
次にステップＳ２において、予約部５２は、タイマ１４により計時されたその時点の時刻が、予約番組の録画開始時刻から一定時間前の時刻になるまで待機し、その時刻になったとき、ステップＳ３に進む。
【００４６】
ステップＳ３において、予約部５２は、EIT取得部５１から供給されたいま取得されたEITからEIT［P］を抽出し、ステップＳ４において、予約番組のＩＤがEIT［P］に設定されているか否かを判定し（いま放送されている番組が予約番組であるか否かを判定し）、設定されていないと判定した場合（予約番組ではないと判定した場合）、ステップＳ５に進む。
【００４７】
ステップＳ５において、予約部５２は、全ての予約番組について録画が開始されたか否かを判定し、まだ録画が開始されていない予約番組が存在すると判定した場合、ステップＳ６に進む。
【００４８】
ステップＳ６において、予約部５２は、EIT取得部５１から供給されたいま取得されたEITからEIT［F］を抽出し、ステップＳ７において、予約番組のＩＤがEIT［F］に設定されているか否かを判定し、設定されていないと判定した場合、ステップＳ６に戻り、EIT［F］を再度抽出する。一方設定されていると判定された場合、ステップＳ８に進む。
【００４９】
すなわちステップＳ６，Ｓ７において、予約番組のＩＤが設定されているEIT［F］が得られるまで待機し、そのEIT［F］が得られたとき、ステップＳ８に進む。
【００５０】
ステップＳ８において、予約部５２は、EIT［F］に設定されている予約番組の放送開始時刻および番組長等（以下、時間情報と称する）を参照して、予約番組の番組情報に変更があったか否かを判定し、変更があったと判定した場合（例えば、放送開始が遅れた場合）、ステップＳ９に進む。
【００５１】
ステップＳ９において、予約部５２は、EIT［F］に設定されている予約番組の放送開始時刻および番組長に基づいて、予約時に記憶したその予約番組の録画開始時刻および終了時刻を変更する。
【００５２】
ステップＳ８で番組情報の変更がなかったと判定されたとき、またはステップＳ９で録画開始時刻等が変更されたとき、ステップＳ２に戻り、予約部５２は、それ以降の処理を実行する。
【００５３】
ステップＳ４で、EIT［P］に予約番組のＩＤが設定されていると判定された場合（予約番組が放送されている場合）、ステップＳ１０に進み、予約部５２は、その旨を予約処理部５３に通知し、予約処理５３は、録画を開始する。これによりEIT［P］にそのＩＤが設定されている番組（予約番組）の録画が開始される。
【００５４】
次にステップＳ１１において、予約部５２は、すべての予約番組について録画が開始されたか否かを判定し、まだ録画が開始されていない予約番組が存在すると判定した場合、ステップＳ１２に進む。
【００５５】
ステップＳ１２において、予約部５２は、EIT［F］を抽出し、ステップＳ１３において、そこに予約番組のＩＤが設定されているか否かを判定し、設定されていないと判定した場合、ステップＳ１２に戻り、EIT［F］を再度抽出する。一方設定されていないと判定された場合、ステップＳ１４に進む。
【００５６】
すなわちステップＳ１２，Ｓ１３において、予約番組のＩＤが設定されているEIT［F］が得られるまで待機し、そのEIT［F］が得られたとき、ステップＳ１４に進む。
【００５７】
ステップＳ１４において、予約部５２は、EIT［F］に設定されている予約番組の放送開始時刻および番組長等（時間情報）を参照して、予約番組の番組情報に変更があったか否かを判定し、変更があったと判定した場合（例えば、放送開始が遅れた場合）、ステップＳ１５に進む。
【００５８】
ステップＳ１５において、予約部５２は、そのEIT［F］に設定されている放送開始時刻と番組長に基づいて、その予約番組についての録画開始時刻および終了時刻を変更する。
【００５９】
ステップＳ１４で番組情報の変更がなかったと判定されたとき、またはステップＳ１５で録画開始時刻等が変更されたとき、ステップＳ２に戻り、予約部５２は、それ以降の処理を実行する。
【００６０】
ステップＳ１１で、すべての予約番組についての録画が開始されたと判定されたとき、処理は終了する。
【００６１】
次に、図５の例の基づいて、具体的に予約録画処理を説明する。図５の例では、図５Ａに示す予定で各番組が放送される所定のチャンネルの番組Ｂ１および番組Ｂ２を録画予約したが（ステップＳ１）、実際には、図５Ｂに示すように、番組Ｂ１の前の番組Ａが延長したため、番組Ｂ１の放送開始時刻が時刻ｔ1から時刻ｔ1''に変更し、番組Ｂ２の放送開始時刻が時刻ｔ2から時刻ｔ2''に変更するものとする。
【００６２】
ステップＳ２で、タイマ１４により計時されたその時点の時刻が、予約された番組の中で最初に放送される番組Ｂ１の録画開始時刻ｔ1から一定時間前の時刻ｔ0になるまで待機される。
【００６３】
番組Ｂ１の録画開始時刻ｔ1から一定時間前の時刻ｔ0になったとき、ステップＳ３で、EIT［P］が抽出され、ステップＳ４で、そこに番組Ｂ１のＩＤが設定されているか否かが判定される。
【００６４】
この例の場合、番組Ｂ１の前の番組Ａの放送が時刻ｔ1''まで延長され、その時刻までは、番組Ａが放送中であるので、その間のEIT［P］には、原則番組ＡのＩＤが設定され、番組ＢのＩＤが設定されていない。したがって時刻ｔ0直後では、ステップＳ４でＮＯの判定がなされる。
【００６５】
すなわちこの場合、ステップＳ５に進み、すべての予約番組についての録画が開始されたか否かが判定される。いまの場合、番組Ｂ１および番組Ｂ２のいずれについても録画が開始されていないので、ＮＯの判定がなされステップＳ６に進む。
【００６６】
そしてステップＳ６およびステップＳ７で、番組Ｂ１のＩＤが設定されているEIT［F］が得られるまで待機され、そのEIT［F］が得られたとき、ステップＳ８に進む。
【００６７】
通常、現在放送中の番組が延長された場合、その次の番組の番組情報を示すEIT［F］は、一度未定とされた後、所定のタイミングで、次に放送される番組についての内容に変更される（確定される）。番組Ａの次に放送される番組が番組Ｂ１であるとの確定は、この例の場合、時刻ｔ1から一定時間経過した後なされるので、番組Ｂ１のＩＤが設定されたEIT［F］が得られるまでには、一定時間待機することになる。
【００６８】
EIT［F］が番組Ｂ１について変更されたとき（番組Ｂ１のＩＤが設定されたEIT［F］が得られたとき）、いまの場合、放送開始時刻（時間情報）が変更されているので、ステップＳ８を介してステップＳ９に進み、そのEIT［F］に設定されている番組Ｂ１の放送開始時刻ｔ1''（変更された時刻）および番組長に基づいて、番組Ｂ１の録画時刻が時刻ｔ1''等に変更される。
【００６９】
その後、ステップＳ２に戻り、今度は、時刻ｔ1''の直前の時刻ｔ1'になるまで待機される。
【００７０】
時刻ｔ1'になったとき、ステップＳ３でEIT［P］が抽出され、ステップＳ４で、そこに番組Ｂ１のＩＤが設定されているか否かが判定される。
【００７１】
いまの場合、このタイミングでEIT［P］に番組Ｂ１のＩＤが設定されているので、ステップＳ４で、ＹＥＳの判定がなされる。
【００７２】
すなわちステップＳ１０で、録画が開始される（番組Ｂ１の録画が開始される）（図５Ｃ）。
【００７３】
次にステップＳ１１で、番組Ｂ１と番組Ｂ２のすべてについて録画が開始されたか否かが判定される。いまの場合、番組Ｂ２の録画がまだ開始されていないので、ステップＳ１２に進む。
【００７４】
ステップＳ１２およびステップＳ１３で、番組Ｂ２のＩＤが設定されているEIT［F］が得られるまで待機され、そのようなEIT［F］が得られたとき、ステップＳ１４を介してステップＳ１５に進む。
【００７５】
ステップＳ１５で、EIT［F］に設定されている番組Ｂ２の放送開始時刻ｔ2''（変更された時刻）および番組長に基づいて、番組Ｂ２の録画開始時刻が時刻ｔ2''等に変更される。
【００７６】
その後、ステップＳ２に戻り、今度は、タイマ１４により計時されたその時点の時刻が、録画開始時刻ｔ2''の直前の時刻ｔ2'になるまで待機され（この間、ステップＳ１０で開始された番組Ｂ１の録画は継続している）、その時刻になったとき、ステップＳ３に進み、EIT［P］が抽出され、ステップＳ４で、そこに番組Ｂ２のＩＤが設定されているか否かが判定される。
【００７７】
いまの場合、このタイミングでEIT［P］に番組Ｂ２のＩＤが設定されているので、ステップＳ４で、ＹＥＳの判定がなされる。
【００７８】
すなわちステップＳ１０で、録画が開始される（番組Ｂ２の録画が開始される）（図５Ｃ）。
【００７９】
次番組Ｂ１と番組Ｂ２について録画が開始されているので、にステップＳ１１でＹＥＳの判定がなされて、処理は終了する。
【００８０】
以上のようにして、録画が開始されていない予約番組が存在する場合、EIT［F］を参照して、その番組の録画開始時刻等を変更するようにしたので、複数の番組が適切に録画される。
【００８１】
なお以上においては、予約録画を例として説明したが、予め設定された時刻に開始される処理であれば、録画に限らず本発明を適用することができる。
【００８２】
また以上においては、EIT［F］およびEIT［P］を利用したが、例えば１週間のテレビジョン番組について示すEIT［scheduled］を利用することもできる。
【００８３】
上述した一連の処理は、ハードウエアにより実現させることもできるが、ソフトウエアにより実現させることもできる。一連の処理をソフトウエアにより実現する場合には、そのソフトウエアを構成するプログラムがコンピュータにインストールされ、そのプログラムがコンピュータで実行されることより、上述した録画再生装置１が機能的に実現される。
【００８４】
なお、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【００８５】
【図１】従来の予約録画方法を説明する図である。
【図２】本発明を適用した録画再生装置の構成例を示すブロック図である。
【図３】本発明を適用した録画再生装置の機能的構成例を示すブロック図である。
【図４】図３の録画再生装置の予約録画処理を説明するフローチャートである。
【図５】図４の予約録画処理を説明する図である。
【符号の説明】
【００８６】
２１  記憶部，  ２２  MPEGデコード部，  ２６  入力部，  ５１  EIT取得部，  ５２  予約部，  ５３  予約処理部
【図１】
2006060367.tif 000003
【図２】
2006060367.tif 000004
【図３】
2006060367.tif 000005
【図４】
2006060367.tif 000006
【図５】
2006060367.tif 000007